(57)【特許請求の範囲】
【請求項１】
厨芥を収納する生ごみ収納容器と、前記厨芥を加熱する加熱手段と、前記生ごみ収納容器内の空気を外部に排出する排気装置と、生ごみ処理機本体後部に装着され前記排気装置を覆う、底面が開口されたウライタと、前記ウライタの後面下端部に排気が下向きになるよう取り付けられ前記排気装置により吸引された前記空気を排出する排出口と、前記排出口の下方に形成された受け部と、前記受け部に設けられた吸収部材とを備え、排気装置から排出され前記ウライタや排出口に触れて前記空気が結露し、前記受け部に滴下する結露水を、前記吸収部材で吸収すると共に、前記排出口から下向きに排出されて前記受け部に向かう排気が、前記吸収部材に吸収された結露水を蒸発させる生ごみ処理機。
【請求項２】
吸収部材を、板状の不織布とした請求項１記載の生ごみ処理機。
【請求項３】
吸収部材は、粒状の吸水材を、水を透過する袋にて覆い形成した請求項１記載の生ごみ処理機。
【発明の詳細な説明】
【０００１】
【発明の属する技術分野】
本発明は台所等で出る生ごみを処理する生ごみ処理機に関するものである。
【０００２】
【従来の技術】
従来の生ごみ処理機を図５を用いて説明すると、１は生ごみ処理機本体、２は生ごみを収納する生ごみ収納容器で、底面に生ごみを撹拌する撹拌羽根３を備えている。この生ごみ収納容器２の上部に生ごみを加熱するヒータからなる加熱手段４が配してある。加熱手段４は加熱用ヒータ５及び、加熱ファン６から構成され、熱風を生ごみに当てて生ごみの表面を加熱する。なお加熱ファン６は加熱モーター７により回転駆動される。
【０００３】
また生ごみ収納容器２の上方に吸気口８が設けられており、この吸気口８は生ごみ収納容器２を介して排気経路９を通じて脱臭装置１０に接続されている。脱臭装置１０は加熱されて臭気を脱臭する触媒１１と、触媒１１を加熱する触媒加熱ヒータ１２と、臭気を触媒１１を介して排出口１３より外部に排出する排気装置１４（排気ファン１５、排気モーター１６、冷却ファン１７）から構成されている。生ごみ処理機本体１内には制御回路１８、撹拌羽根３を駆動する駆動装置１９を設けてある。
【０００４】
上記従来の生ごみ処理機において、生ごみ処理機本体１を運転させると、加熱手段４による生ごみの加熱と、脱臭装置１０の加熱手段である触媒加熱ヒータ１２が作動し触媒１１が加熱され、排出手段１４も作動し、吸気口８から外気が吸引され、生ごみ収納容器２内の臭気を含む空気を脱臭装置１０で脱臭し、排出口１３より大気に空気が排出される。
【０００５】
【発明が解決しようとする課題】
しかしながら上記従来の生ごみ処理機は、脱臭装置がついているため屋内での使用が可能であり、屋内で使用されている場合が多い。屋内で使用し、冬季等雰囲気温度が低下し、氷点下で使用された場合、排気中の蒸気が結露し、水が発生し床面に垂れる恐れが考えられる。
【０００６】
また、生ごみ処理機は夕食後の夜間に使用される場合が多く、屋内に設置した場合に就寝時間中の排気の音が気になるユーザーがいる。これらの対応を考えると結露水のタンク貯水や、防音専用材の追加等様々な手段が考えられるが、コスト高になってしまう。
【０００７】
本発明は上記課題を解決するもので、雰囲気温度が低温になって結露水が発生しても、設置場所に結露水を垂らさず、また、夜間の運転音も静かな、使用性の高い生ごみ処理機を提供することを目的としている。
【０００８】
【課題を解決するための手段】
上記の目的を達成するために本発明は、厨芥を収納する生ごみ収納容器と、前記厨芥を加熱する加熱手段と、前記生ごみ収納容器内の空気を外部に排出する排気装置と、生ごみ処理機本体後部に装着され前記排気装置を覆う、底面が開口されたウライタと、前記ウライタの後面下端部に排気が下向きになるよう取り付けられ前記排気装置により吸引された前記空気を排出する排出口と、前記排出口の下方に形成された受け部と、前記受け部に設けられた吸収部材とを備え、排気装置から排出され前記ウライタや排出口に触れて前記空気が結露し、前記受け部に滴下する結露水を、前記吸収部材で吸収すると共に、前記排出口から下向きに排出されて前記受け部に向かう排気が、前記吸収部材に吸収された結露水を蒸発させる生ごみ処理機で、結露した水は排出口より落下するが、受け部で受け止めることができる。よって屋内に設置し、低温下の雰囲気で使用して結露水が発生しても、床面を汚さない快適な生ごみ処理機を提供できる。
【０００９】
【発明の実施の形態】
本発明の請求項１記載の手段によれば、厨芥を収納する生ごみ収納容器と、前記厨芥を加熱する加熱手段と、前記生ごみ収納容器内の空気を外部に排出する排気装置と、生ごみ処理機本体後部に装着され前記排気装置を覆う、底面が開口されたウライタと、前記ウライタの後面下端部に排気が下向きになるよう取り付けられ前記排気装置により吸引された前記空気を排出する排出口と、前記排出口の下方に形成された受け部と、前記受け部に設けられた吸収部材とを備え、排気装置から排出され前記ウライタや排出口に触れて前記空気が結露し、前記受け部に滴下する結露水を、前記吸収部材で吸収すると共に、前記排出口から下向きに排出されて前記受け部に向かう排気が、前記吸収部材に吸収された結露水を蒸発させる生ごみ処理機で、結露した水は排出口より落下するが、受け部の吸収部材で受け止めることができる。よって屋内に設置し、低温下の雰囲気で使用して結露水が発生しても、床面を汚さない快適な生ごみ処理機を提供でき、さらに排出口から排出される排気で、結露水を蒸発させることもできる。
【００１０】
本発明の請求項２記載の手段によれば、吸収部材を、板状の不織布としたもので、安価なトムソン型で加工可能であり、多種の形状が作成可能である。また、耐腐食性に優れ、屋外設置にも耐えうる吸収部材を有する生ごみ処理機を提供できる。
【００１１】
本発明の請求項３記載の手段によれば、吸収部材は、粒状の吸水材を水を透過する袋にて覆い形成したもので、受け部の形状に柔軟に対応でき、且つ板状に結合させる必要が無いので、吸水部材の材質を限定しない吸収部材を有する生ごみ処理機を提供できる。
【００１２】
【実施例】
（実施例１）
以下、本発明の第１の実施例について図１〜図３をもとに説明する。図１において、１は生ごみ処理機本体、２は生ごみを収納する生ごみ収納容器で、底面に生ごみを撹拌する撹拌羽根３を備えている。この生ごみ収納容器２の上部に生ごみを加熱するヒータである加熱手段４が配してある。加熱手段４は加熱用ヒータ５及び、加熱ファン６から構成され、熱風を生ごみに当てて生ごみの表面を加熱する。なお加熱ファン６は加熱モーター７により回転駆動される。
【００１３】
また生ごみ収納容器２の上方に吸気口８が設けられており、この吸気口８は生ごみ収納容器２を介して排気経路９を通じて脱臭装置１０に接続されている。脱臭装置１０は加熱されて臭気を脱臭する触媒１１と、触媒１１を加熱する触媒加熱ヒータ１２と、臭気を触媒１１を介して脱臭し、排出口１３より生ごみ収納容器２内の空気を外部に排出する排気装置１４（ターボファン１５、排気モーター１６）から構成されている。生ごみ処理機本体１内には制御回路１８、撹拌羽根３を駆動する駆動装置１９を設けてある。
【００１４】
２５は生ごみ収納容器２、排気経路９、脱臭装置１０を介して連通しているファンガイドで、ターボファン１５とファンガイド２５を近接させることによって、ターボファン１５の吸引圧と吸引風量を発生させる。ターボファン１５をシュラウド２７付で構成し、シュラウド２７の表面には本体を冷却するためのシロッコファン２６を形成している。また、ターボファン１５とシロッコファン２６の吸気側の方向が同じになるので、ファンガイド２５のターボファン１５の吸気部を略への字型で形成し、シロッコファン２６の吸気部とを仕切っている。また、シロッコファン２６の吸気と排気を分離する仕切り板２８をシロッコファン２６前方に設けている。
【００１５】
ターボファン１５で吸引された脱臭装置１０からの空気は、シロッコファン２６による冷却風と混合して、ウライタ２９に取り付けられた排出口１３より排気される。ウライタ２９は防錆性の強いカラー鋼板製で、生ごみ処理機本体１後部に装着され、排気装置１４を覆っている。排出口１３は樹脂製の排出部材３０に下向きに設けられており、その下方に受け部３１を設けている。
【００１６】
受け部３１は、排出口１３の開口端より大きく、その上に結露水の吸水と排気風の衝突音を緩和するフィルターである吸収部材３２が、受け部３１に設けた貫通穴３３に、保持部材３４に設けて爪で着脱自在に保持されている。
【００１７】
吸収部材３２は、ＰＰ製の糸を不織状に絡めた板状体をカットしたもので、約３０ｇの保水性を有し耐腐食性に優れた材質を使用し、長期の使用に耐えるものにしている。
【００１８】
保持部材３４は、吸収部材３２の上面は端部以外を開口し、側面は吸収部材３２の端面を覆っている。また、上端部には凸部であるリブ３５が設けてあり、保持部材３４より結露水が流れ落ちるのを防いでいる。
【００１９】
また排出口１３を壁面に接するように設置した場合でも、排気通路が確保されるよう、排出口１３と受け部３１間の側面方向を通気可能としている。
【００２０】
上記構成において動作を説明すると、加熱ヒータ５で加熱された空気が加熱ファン６によって生ごみ収納容器２内に送り出され、生ゴミを加熱する。加熱された生ゴミより発生した蒸気は、排出手段１４であるターボファン１５によって吸引されることにより、排気経路９を介して脱臭装置１０に至る。同時に吸気口８より外気が生ごみ収納容器２内に流入する。そして脱臭装置１０の加熱手段である触媒加熱ヒータ１２が作動し触媒１１が加熱され、生ごみ収納容器２内の臭気を含む空気は脱臭された後、冷却用のシロッコファン２６によって室温程度の温度まで冷却されて排出口１３より外部に排出される。同時に生ゴミは、回転する撹拌刃３により、撹拌・粉砕されながら加熱され、加熱終了後は、減量・細分化される。
【００２１】
このとき、０度以下の環境になる場所に設置されると、ターボファン１５を出た排気は外気によって冷やされているウライタ２９や排出口１３に触れて一部（約２％弱  例：生ごみ７００ｇ処理時の水分量５５０ｇのとき結露水１０ｇ）が結露水となる。結露水は、排出口１３より受け部３１上の吸収部材３２に滴下しそこで保持され、排気風の熱によって徐々に蒸発していく。ここで、保持部材３４上に滴下した場合もリブ３５によって垂れ落ちるのを防ぎ、床面に滴下するのを防ぐ。
【００２２】
よって屋内に設置し、低温下の雰囲気で使用して結露水が発生しても、床面に結露水が落ちることはない。
【００２３】
また、屋外に設置された場合でも、保持部材３４に保持されているので雨や風等で吸収部材３２が吹き飛ばされることはなく、多量の雨水等を浴び吸収部材３２の保水量を超えとしても、貫通穴３３より外部に排水するので、本体１内部に侵入することはなく、絶縁性は確保され安全上支障はない。また屋外設置なので雨水等の外部への排水も問題ない。
【００２４】
また吸収部材３２は板状なので、トムソン型で加工可能であり、受け部の形状に対応させるのが容易な、加工性に優れており、保持部材３４に着脱自在に保持されているので必要であれば容易に取り替えできる。
【００２５】
その上、吸収部材３２は排気風の衝突音緩和も兼ねているので、屋内に設置しても、夜間の運転音の静かな快適な生ごみ処理機を提供できる。
【００２６】
そして、ウライタ２９と排出部材３０、受け部３１を別部品で構成しているので、吸収部材３２を装着した状態の排出部材３０、受け部３１をウライタ２９に組み立てでき、吸収部材３２の扱いが更に容易になる。また、排出部材３０、受け部３１のユニットの組立を本体組立前に行うことができ、異なる組立先も選択可能などの組立て性の自由度も大きくなる。
【００２７】
さらに、排出部材３０、受け部３１を樹脂でウライタ２９を板金で構成したので、排出口１３は蒸気がシロッコファン２６によって室温程度まで冷却されているので、さほど耐熱性が必要ないうえ、例えば排出口１３の格子やトレー状の受け部３１を形成するのに有利で、排気が結露を防ぐために熱伝導性の小さい樹脂の成形品で構成し、ウライタ２９は外郭部品であり強度が必要な上、蒸気とシロッコファン２６による冷却風の混合過程の空間を形成しているので耐熱性も必要であり、強度、耐熱温度的に有利な金属でを用いて合理的な生ごみ処理機を提供できる。
【００２８】
なお吸収部材３２を、図４のような粒状の吸水部材３６を、水を透過する袋３７に袋詰めした構成としても同様の効果がある上に、受け部３１の形状に柔軟に対応でき、且つ板状に結合させる必要が無いので、吸水部材の材質を限定しない効果が加わる。
【００２９】
【発明の効果】
本発明によれば、雰囲気温度が低温になって結露水が発生しても、設置場所に結露水を垂らさず、また、夜間の運転音も静かな、使用性の高い生ごみ処理機を提供できる。
【図面の簡単な説明】
【図１】  本発明の一実施例の生ごみ処理機断面図
【図２】  同排出口の要部断面図
【図３】  図２のＡ矢視図
【図４】  同他の排出口の要部断面図
【図５】  従来の生ごみ処理機の本体断面図
【符号の説明】
２  生ごみ収納容器
４  加熱手段
１３  排出口
１４  排出手段
３１  受け部
３２  吸収部材
３４  保持部材
３６  吸水部材
【図１】
0004320996.tif 000002
【図２】
0004320996.tif 000003
【図３】
0004320996.tif 000004
【図４】
0004320996.tif 000005
【図５】
0004320996.tif 000006